(57)【要約】【構成】木造在来工法の新築住宅又は既存住宅に於いて、二階建て又は三階建ての通し柱の一階と二階の中間仕口部分を鉄板により補強及び結合する木造構造物の補強連結方法である。【効果】ホゾ孔で細くなった柱の補強を充分にでき、細くなった柱の角を充分に補強することができる。また、柱の周りがグルッと鉄板で囲まれており、柱と梁や桁の断面との間に鉄板が差し込まれており、細くなった柱の補強が完全に出来る。そこのホゾ孔に差し込まれた梁・桁を受けるように三方向から（両側面および下面）コ字に鉄板を溶接し最後にボルトを横に通して固定する。ホゾ孔とこの受けにより梁・桁が落下する事はないし、ボルトで抜けることもない。現場作業でいくぶん手間はかかるが寸法のくるいがなく確実な工法である。【選択図】　　図１
2004092241.tif 000002
【特許請求の範囲】
【請求項１】
木造軸組在来工法の新築住宅又は既存住宅に於いて、二階建て又は三階建ての通し柱の一階と二階の中間仕口部分を鉄板により補強及び結合する木造構造物の補強連結方法。
【発明の詳細な説明】
【０００１】
【産業上の利用分野】
この発明は木造構造物の補強方法に関し、木造構造物の通し柱の中間仕口部分を補強及び結合する場合に使用される。
【０００２】
【従来の技術】
従来におけるこの種の補強方法にあっては、柱にホゾ孔を掘って梁・桁を差し込み、ハゴ板ボルトや引き合いボルトによって固定されているだけである。
【０００３】
この方法によると、二方向，三方向又は四方向から梁および桁が来る場合ホゾ孔が繋がってしまい、柱の断面における残りの部分が非常に少なくなり、細くなってしまうため、強度が低下する結果、地震等によってヒビが入ったり折れたりしやすかった。また、万が一、梁及び桁の片方が抜ければ、柱は折れやすく、又、折れないまでも、梁，桁が抜けないようにしているボルトが曲がりやすく、このボルトが一旦曲がると設置構造上真っ直ぐに直せないともに引き抜くことも出来ないため、家（構造物）は歪んだままの状態にせざるを得ないものであった。
【０００４】
このため、発明者は、柱に梁，桁を組み込んだ後、それぞれの形状をした鉄板で柱をぐるりと囲い、
これらの鉄板の接触する辺を溶接して固定する、言い換えれば、それぞれの形状の鉄板を柱にぐるりと囲う形で巻き付け、四辺の鉄板を溶接固定し柱に巻き付ける方法を発明し、既に特許出願している（特願２００１−　３１７４９４）。
【０００５】
【発明が解決しようとする課題】
しかし、この方法では、ホゾ孔で細くなった柱の補強には不充分であり、細くなった柱の角の補強としては充分なものでなかった。
【０００６】
また、従来のボルトによる方法では、梁・桁が抜けないようにしているだけでホゾ孔によって細くなった柱の補強には全くならなかった。
【０００７】
この発明の課題はかかる不都合を解消することである。
【０００８】
【課題を解決するための手段】
前記課題を達成するために、発明者は更に鋭意研究して本発明を完成した。
この発明に係る木造構造物の補強連結方法においては、木造軸組在来工法の新築住宅又は既存住宅に於いて、二階建て又は三階建ての通し柱の一階と二階の中間仕口部分を鉄板により補強及び結合するものであるため、ホゾ孔で細くなった柱の補強を充分にでき、細くなった柱の角を充分に補強することができる。
【０００９】
そこで、本発明に係る方法は、梁・桁を組み込む前に柱の四面に鉄板をあてがい溶接で固定する。この鉄板にはあらかじめホゾ孔部分だけの窓孔を開けておく。ここまでは工場で行い、ここから桁・梁を組むのは現場作業である。その後で、梁・桁を柱に差し込むことによりホゾ孔によって細くなった柱の角にも鉄板がまわり補強される。
【００１０】
【実施例】
図１はこの発明に係る木造構造物の補強連結方法の工程を示した図、図２及び図３は第二実施例の図、図４は第三実施例の工程図である。
【００１１】
図１に示すように、この方法は、まづ、柱１０の巾に合わせた鉄板２０に予めホゾ孔部分の窓２１を開けておく。鉄板２０の長さ（上下方向の）は、梁・桁Ｂの太さよりも長くとり、例えば、ホゾ孔よりも上へ略１０ｃｍ，下へ略１０ｃｍとする。このように形成された鉄板２０を柱１０のホゾ孔（図示せず）に合わせて配置し、隣り合う鉄板２０，２０　を溶接して連結し固定する。この場合、柱１０のホゾ孔のない表面側においては、同じ形状で窓のない鉄板（図示せず）を配置して隣り合う鉄板２０と溶接して固定するものである。
【００１２】
その後で、図４に示すように、梁・桁Ｂを鉄板２０の窓２１を通過させた後で柱１０のホゾ孔に差し込み、そこに、コ字状鉄板（巾略１０ｃｍ）３０を梁・桁Ｂの下側から外嵌めし、この梁・桁Ｂの両側面と下面にあてがった状態でその端縁を前記鉄板２０に溶接して固定する。このコ字状鉄板３０には予めボルト孔が開けられているため、梁・桁Ｂにボルト３１，３１，…止めすることもできる。このような手順であるため、寸法の狂いがなく作業もしやすいうえ、細くなり弱くなった柱１０を充分に補強することができる。
【００１３】
なお、ホゾ孔を掘らずに梁・桁Ｂをトンヅケし、コ字状鉄板３０で受ける方法も考えられる。
【００１４】
また、溶接で柱１０が焦げるおそれのある場合には、Ｌ字状のうすい鉄板を柱の角にあてることによってこの焦げを防止することができる。
【００１５】
また、鉄板２０の仮止めには鉄板に２０２個所ほどのクギ孔を開けておきクギ止めによって仮止めすればよい。
【００１６】
また、この補強を行う個所は、建造物の１階と２階の通し柱１０の中間部分の仕口だけで、一軒の家で９箇所から１２個所であり値代も非常に安価にあがる。２階の上の部分や土台の仕口部分は従来からのハゴ板ボルトや土台ボルトで完璧である。なお、鉄板の厚さは５〜７．５ｍｍを使用する。
【００１７】
一方、図２および図３に示すように、既存の建造物にこの方法を適用する場合には、柱１０に差し込まれている梁・桁Ｂの先端をホゾの太さを残した状態で６ｍｍ巾にけずり落とすことによって６ｍｍ巾の隙間Ｓを形成する。そこに、図３に示した５ｍｍ厚の鉄板素材２２，２２　をこの隙間Ｓに差し込み、図１に示すような状態として互いに溶接し前記鉄板２０と同様な機能を果たすようにする。そして、柱１０をぐるりと取り囲むようにそれぞれの形状をした鉄板２０を配置して溶接することにより連結固定する。この場合も、図１に示すように、梁・桁Ｂの下側からコ字状鉄板（巾略１０ｃｍ）３０を外嵌めして鉄板２０に溶接して固定することもできる。
【００１８】
なお、従来のハゴ板ボルトによる方法は、ハゴ板ボルトによって抜けないようにした片方だけからの部分的な固定であり、力がかかった場合に偏りが生じ、ボルトが曲がりやすく、この曲がったボルトは直せないが、本発明におけるコ字状鉄板３０は力が分散するため地震の際の力のかかり方にも偏りが生じにくくボルト３１が曲がりにくいものである。
【００１９】
【発明の効果】
この発明に係る木造構造物の補強連結方法は、木造軸組在来工法の新築住宅又は既存住宅に於いて、二階建て又は三階建ての通し柱の一階と二階の中間仕口部分を鉄板により補強及び結合するものであるため、ホゾ孔で細くなった柱の補強を充分にでき、細くなった柱の角を充分に補強することができる。
【００２０】
また、この発明に係る木造構造物の補強連結方法は、柱の周りがグルッと鉄板で囲まれており、柱と梁や桁の断面との間に鉄板が差し込まれており、細くなった柱の補強が完全に出来る。そこのホゾ孔に差し込まれた梁・桁を受けるように三方向から（両側面および下面）コ字に鉄板を溶接し最後にボルトを横に通して固定する。ホゾ孔とこの受けにより梁・桁が落下する事はないし、ボルトで抜けることもない。現場作業でいくぶん手間はかかるが寸法のくるいがなく確実な工法である。
【図面の簡単な説明】
【図１】この発明に係る木造構造物の補強連結方法の工程を示した図である。
【図２】第二実施例の図である。
【図３】第二実施例の図である。
【図４】第三実施例の工程図である。
【符号の説明】
１０　…　柱
２０　…　鉄板
２１　…　窓
３０　…　コ字状鉄板
３１　…　ボルト
【図１】
2004092241.tif 000003
【図２】
2004092241.tif 000004
【図３】
2004092241.tif 000005
【図４】
2004092241.tif 000006